(57)【要約】      （修正有）【課題】走行時における前方からの雨滴に対し、乗員を適切に保護することが可能で、駐車時には容易に収納可能な自転車用開閉式簡易屋根を提供する。【解決手段】自転車用開閉式簡易屋根１は、正面視略楕円状に形成され、側面視略アーチ状に形成されたパイプ材からなる枠体２と、支持フレーム３Ａ、３Ｂと、支持フレームにより固定された側面視略Ｕ字状で枠体２を収納できる枠体１２と、枠体２を覆うルーフ部材４とから構成される。枠体１２の前及び後部は、自転車１０のフレーム１１に対して、固定具３により装着可能な位置に固定される。枠体１２の前方部は、自転車１０の前カゴ１３の下方よりフレーム１１の前端に保持される。枠体１２の前及び後端部は、自転車１０のハンドル１４と同程度若しくはハンドル１４よりも幅広で、中央に向かって細幅となるように形成されている。【選択図】図１
0003155749.tif 000002
【実用新案登録請求の範囲】
【請求項１】
自転車の乗員の上方及び前方を覆うルーフ部材と、当該ルーフ部材を保持する収納枠体とを備えた自転車用開閉式簡易屋根であって、前記枠体は、前面部がハンドル幅よりも幅広に設定されることを特徴とする自転車用開閉式簡易屋根。
【請求項２】
当該ルーフ部材と前記枠体は、前後回動することにより開閉や収納を可能とし、当該ルーフ部材を自転車に常備させるという特徴の自転車用開閉式簡易屋根。
【請求項３】
当該ルーフ部材を保持する前記枠体と自転車に固着する収納枠体は、側面視略円形、正面視Ｖ字に成形させ所定幅を保持することを特徴とした自転車用開閉式簡易屋根。
【考案の詳細な説明】
【技術分野】
【０００１】本考案は、降雨や風、紫外線の照射等から主に自転車等の乗員を保護するための簡易屋根に関する。
【背景技術】
【０００２】従来より、降雨時に自転車を利用する場合には、一方の手で傘を持ち、他方の手でハンドルを操作するということが行われているが、前方から吹き込む雨や風から乗員を十分に保護しきれないこと及び片手運転となるためハンドル操作が不安定になること等の問題があるため自転車を利用する乗員の前方及び上方をカバーする簡易屋根として、自転車のフレーム等に固定された枠体と、当該枠体に張設される屋根シート材とを備える構成が公知となっている（例えば、特許文献１，２参照。）。
【先行技術文献】
【特許文献】
【０００３】
【特許文献１】  特開２００１−４８０７６
【特許文献２】  特開平０８−１０４２７６
【考案の概要】
【考案が解決しようとする課題】
【０００４】しかし、前記各特許文献に記載の簡易屋根の構造では、前記枠体の前端側が自転車のハンドルの中央部付近又は自転車の前面側の買い物カゴに直接固定されていたため、枠体全部の幅がハンドル幅よりも狭いか、買い物カゴと同程度の幅に限定されていた。従って、枠体に張設される屋根シートが乗員の肩幅程度しか無く、正面側からの雨滴や風を適切に防ぐことができなかった。即ち、ハンドルの形状によっては、ハンドルのグリップ部が乗員の肩幅よりも外側に位置するため、乗員の腕部を十分にカバーすることができなかった。
特に、自転車走行時には、前方からの雨滴や風が強くなるため、前方側を適切に保護しなければ降雨や風に対する遮蔽材としての機能を十分に果たさないこととなる。
この場合、前記枠体の前端側をハンドルの両端部に固定されることも考えられるが、その場合は、乗員にとってハンドル操作がしにくいものとなるため、走行時における安全性を確保することができないという問題があった。また、脱着や収納、保管場所の面からも問題は多い。
【課題を解決するための手段】
【０００５】上記の課題を解決するため本考案は、自転車の乗員の上方及び前方を覆うルーフ部材と、当該ルーフを保持する枠体、その枠体を保持及び収納する枠体と、その枠体を自転車に固定する支持フレームとで構成された自転車用開閉式簡易屋根であって、前記収納枠体は、正面及び背面をＶ字型に設定することで、前面部がハンドル幅同程度若しくはハンドル幅よりも幅広に設定することができる。また、収納枠体を支持フレームによって自転車の側面に備え付け、ルーフ枠体を保持及び収納することを特徴とする。
従って、前記収納枠体に保持されたルーフ枠体上面部に位置するルーフ部材により正面及び上面からの雨等に対して適切に乗員を保護することが可能となる。
また、前記支持フレームは、自転車のフレーム部に直接取り付ける構造とし、当該支持部に対して前記収納枠体が自転車のハンドルまでの距離を保ち、簡易屋根を取り付けた状態であってもハンドルの操作に与える影響を少なくすることができる。
また、ルーフ部材及び前記枠体は、前記収納枠体の支持により回動開閉もできるようになり、自転車に常備することで脱着及び保管場所の問題も解決できる。
【考案の効果】
【０００６】  本考案の自転車用開閉式簡易屋根によれば次のような効果を奏する。
自転車用簡易屋根の前面部をハンドル幅と同程度又はハンドル幅よりも幅広に形成するとともに、全面部を保持及び収納できる枠体を備えることで、走行時における前方からの雨滴に対して、乗員を適切に保護することや簡易屋根の収納も可能となる。
また、支持フレームが車体のフレームに固定されることにより簡易屋根の耐久性の向上やハンドル操作に与える影響を少なくすることができる。
【図面の簡単な説明】
【０００７】
【図１】本発明の一実施の形態に係る自転車用開閉式簡易屋根の取り付け状態を示す斜視図である。
【図２】本発明の一実施の形態に係る自転車用開閉式簡易屋根の全体構造を示す分解斜視図である。
【図３】本発明の一実施の形態に係る自転車用開閉式簡易屋根の後部構造を示す分解斜視図である。
【考案を実施するための形態】
【０００８】  本考案の実施の形態について図面に基に解説する。
図１は、本考案の一実施の形態に係る自転車用開閉式簡易屋根を取り付けた状態を示す全体斜視図であり、図２は、本実施の形態に係る自転車開閉式簡易屋根の全体構成を示す分解斜視図である。図３は、実施の形態に係る自転車用開閉式簡易屋根の後部構造を示す分解斜視図である。
本実施の形態に係る自転車用開閉式簡易屋根１は、正面視略楕円状に形成されるとともに、側面視略アーチ状に形成されたパイプ材からなる枠体２と、支持フレーム３Ａと３Ｂと、その支持フレームにより固定された側面視略Ｕ字状で枠体２を収納できる枠体１２、枠体２を覆うルーフ部材４とから構成される。枠体１２の前及び後部は、自転車１０のフレーム１１に対して、固定具３により装着可能な位置に固定される。枠体１２の前方部は、自転車１０の前カゴ１３の下方よりフレーム１１の前端に位置するように保持される。枠体１２の前及び後端部は、自転車１０のハンドル１４と同程度若しくはハンドル１４よりも幅広となるように形成されるとともに、中央に向かって細幅となるように形成されている。
枠体２の前端部は、固定具凸９Ａ及び固定具凹９Ｂを用いてロック及び解除をすることで開閉ができる構造とする。自転車１０の利用者の座高に合わせて、ルーフ部材４の高さ位置を枠体１２の前端部に固定具凹９Ｂを数箇所設定し調整可能とする。
以上のように構成された自転車用開閉式簡易屋根１を自転車１０に常備することにより、降雨時にも傘を差すこと無く、安全に自転車１０を利用することが可能となり、また常時容易に格納及び収納することができる自転車用開閉式簡易屋根１である。
【０００９】支持フレーム３Ａは、ハンドル軸部１５下方部のフレーム１１の前端部に取り付けられた固定具３により固着される。支持フレーム３Ｂはサドル１４下方部のフレーム１１の後端部に固定具３により固着される。
【００１０】ルーフ部材４は、防水性を有する薄い樹脂材により形成されており、有色性を有する薄い樹脂成形から成る天板部４Ａとその前端に取り付けられた透視性を有する薄い樹脂成形から成る前面部４Ｂと、その前面部４Ｂから前端に取り付けられた前面部４Ｂと同素材から成る天板カバー４Ｃとが一体成形され構成される。天板部４Ａ及び前面部４Ｂの外周端部の形状は、枠体２に対応して形成されている。天板部４Ａの前後端は、両側端を横断する枠体２と同材質のパイプ材を固定具３にて固着し、枠体２の間隔を保持しながら、開閉時のハンドルとしての利用も目的とする保持部５を設置する。
自転車用開閉式簡易屋根１を使用時は、天板カバー４Ｃと前方側の保持部６をマジックテープ８（登録商標）で固着することで前カゴ１３前方を雨滴等から守る。また、自転車用開閉式簡易屋根１の未使用時には、ルーフ部材４を枠体１２の形成支持に従い後方に回動し束ねた後、天板カバー４Ｃでルーフ部材４を巻き、後方側の保持部６を利用しマジックテープ８（登録商標）で固着、収納することでルーフ部材４全体を傷みや劣化か保護する役割を担う。
【００１１】以上のように構成された本実施の形態に係る自転車用開閉式簡易屋根１では、枠体１２の前及び後部を支持フレーム３Ａ及び３Ｂを用いて固定具３により自転車１０のフレーム１１に固着し、また、天板部４と枠体２は固着されず載置し、枠体１２の支持によりルーフ部材４が前後回動する。天板部４Ａは枠体２の裏面側に設けられた保持部５により、枠体２の上部位置を保持させる。保持部５はルーフ部材４側に固着され、固定具３が枠体２の形状支持により前後回動することで開閉可能とする。枠体２の前端に設けた固定具凸９Ａ及び固定具凹９Ｂで固着させ、枠体２の前部及び後部位置を保持させ自転車用開閉式簡易屋根１を自転車１０に備え付ける。
自転車用開閉式簡易屋根１を自転車１０に常備することにより、降雨時にも傘を差すこと無く、安全に自転車１０を利用することが可能となり、自転車用開閉式簡易屋根１の未使用時には容易に開閉及び収納することで脱着の煩わしさや保管スペースの確保も必要がなくなる。
ルーフ部材４の前面部４Ｂに付着した雨滴については、シリコンワックス等を塗布することにより雨滴の流れを良くし、また、紫外線にたいして遮蔽性を有する樹脂材を用いてルーフ部材４を構成することにより、晴天時には紫外線防止に用いることができる。
【００１２】枠体１２は最下端部で左右が固着し、前方及び後方には同素材の保持部６により、枠体１２の前端部及び後端部の位置を保持する。枠体１２の内部にはスプリング７を設けることで、枠体２及びルーフ部材４をスプリング７による解放力を利用し、枠体２及びルーフ部材４を押し上げ屋根を容易に開閉できる構造にする。このとき固定具凸５Ａ及び固定具凹５Ｂを操作し開閉ができる構造とする。
【００１３】以上のように枠体１２の前後及び左右の位置を支持フレーム３Ａ及び３Ｂにより保持させることにより、ハンドル幅以上の所定幅で枠体全体部を適切に保持することが可能となる。
また、支持フレーム３Ａ及び３Ｂを直接自転車１０のフレーム１１に固定することで屋根全体の耐久性能も図られる。また、簡易屋根を取り付けた状態であっても乗員のハンドル操作に与える影響を最小限とすることができる。
また、ルーフ部材４の前面部をカゴ１３の下方位置まで延長して形成することで、カゴ１３内の積載物も降雨等から適切に保護することができる。
また、枠体２及び枠体１２は前後に分解することができ、ルーフ部材４を枠体から容易に脱着可能にすることで、ルーフ部材４の洗浄や交換等を容易に行うことができる。
【００１４】なお、自転車用開閉式簡易屋根１は、自転車１０の形状によってはカゴ１３を併用することができない場合もある。
また本実施の形態ではルーフ部材について、天板部と前面部を一体成形することとして説明したが、これに限られるものでは無く、前面部については天板部とは別体に構成し、枠体前面部に風防を固定する等としてもよい。
また、枠体２が枠体１２の支持により前後回動し収納すると説明したが、これに限られるものでは無く、枠体２が左右に折れ曲がる収納方法とする構成にしてもよい。
【符号の説明】
【００１５】１    自転車用開閉式簡易屋根
２    枠体
３    固定具
３Ａ  支持フレーム
３Ｂ  支持フレーム
４    ルーフ部材
４Ａ  天板部
４Ｂ  前面部
４Ｃ  天板カバー
５    保持部
５Ａ  固定具凸
５Ｂ  固定具凹
６    保持部
７    スプリング
８    マジックテープ（商標登録）
９Ａ  固定具凸
９Ｂ  固定具凹
１０  自転車
１１  フレーム
１２  枠体
１３  カゴ
１４  サドル
１５  ハンドル軸部
【図１】
0003155749.tif 000003
【図２】
0003155749.tif 000004
【手続補正書】
【提出日】平成21年9月1日(2009.9.1)
【手続補正１】
【補正対象書類名】実用新案登録請求の範囲
【補正対象項目名】全文
【補正方法】変更
【補正の内容】
【実用新案登録請求の範囲】
【請求項１】
自転車の乗員の上方及び前方を覆うルーフ部材と、当該ルーフ部材を保持する収納枠体とを備えた自転車用開閉式簡易屋根であって、前記枠体は、前面部がハンドル幅よりも幅広に設定されることを特徴とする自転車用開閉式簡易屋根。
【請求項２】
当該ルーフ部材と前記枠体は、前後回動することにより開閉や収納を可能とし、当該ルーフ部材を自転車に常備させるという特徴を有する請求項１記載の自転車用開閉式簡易屋根。
【請求項３】
当該ルーフ部材を保持する前記枠体と自転車に固着する収納枠体は、側面視略円形、正面視Ｖ字に成形させ所定幅を保持することを特徴とした、請求項１記載の自転車用開閉式簡易屋根。
【手続補正２】
【補正対象書類名】図面
【補正対象項目名】図２
【補正方法】変更
【補正の内容】
【図２】
0003155749.tif 000005
【手続補正３】
【補正対象書類名】図面
【補正対象項目名】図３
【補正方法】追加
【補正の内容】
【図３】
0003155749.tif 000006